(57)【要約】本発明は、ネジ付きネックを有する任意の容器にも適合可能なツイスト・アンド・プッシュ開口システムであって、０．５ｍｍから２ｍｍの間で変化する厚みを有する内側リングであって、予め穿孔されたフィルム（３）が接着される、厚さが０．５ｍｍから２ｍｍの間で変化する接着領域（２）と、厚みが０．５ｍｍから１ｍｍの間で変化するカッティング領域と有する内側リング（１）と、１ｍｍから４ｍｍの間で変化する厚みを有する外側リング（５）であって、予め穿孔されたフィルム（３）が外側リングを完全に覆うように接着される外側リング（５）と、の二つのリングを備えるとともに、混合するための物質が格納されるとともに底壁（１１）が５度の傾きで傾斜している、タブ（６）が、内側リング（１）の上部に設置され、タブ（６）の延長部に、予め穿孔されたフィルム（３）を任意の表面から保護するためのオーバーラップ（７）を有し、タブ（６）の上部には、予め穿孔されたフィルム（３）が内側リング（１）から離されると、ユーザは飲むことができないことを保証するための、保護メッシュ（１０）の内張されたノズル（９）を保護するための蓋（８）を有する、ネジ付きネックを有する任意の容器にも適合可能なツイスト・アンド・プッシュ開口システムを開示する。【選択図】    図１
2019509950.tif 000002
【特許請求の範囲】
【請求項１】
ネジ付きネックを有する任意の容器にも適合可能なツイスト・アンド・プッシュ開口システムであって、
０．５ｍｍから２ｍｍの間で変化する厚みを有する内側リング（１）であって、予め穿孔されたフィルム（３）が接着される、厚さが０．５ｍｍから２ｍｍの間で変化する接着領域（２）を含む内側リング（１）を備える
ツイスト・アンド・プッシュ開口システム。
【請求項２】
１ｍｍから４ｍｍの間で変化する厚みを有する外側リング（５）を備え、
前記内側リング（１）の前記接着領域（２）へ前記予め穿孔されたフィルムが前記外側リング（５）を超えて延伸されている、
請求項１に記載のネジ付きネックを有する任意の容器にも適合可能なツイスト・アンド・プッシュ開口システム。
【請求項３】
前記内側リング（１）は、前記外側リング（５）より０．５ｍｍから１ｍｍ長い、
請求項１または２に記載のネジ付きネックを有する任意の容器にも適合可能なツイスト・アンド・プッシュ開口システム。
【請求項４】
前記容器の前記ネックから前記予め穿孔されたフィルム（５）への圧力によって前記予め穿孔されたフィルムが破れるとともに、前記容器の前記ネックが前記外側リング（２）と前記内側リング（１）との間で回転する、
請求項１から３のいずれか一項に記載のネジ付きネックを有する任意の容器にも適合可能なツイスト・アンド・プッシュ開口システム。
【発明の詳細な説明】
【技術分野】
【０００１】
本発明は、ネジ付きネックを有する任意の容器に適合可能なツイスト・アンド・プッシュ開口システムからなる。
【発明の概要】
【発明が解決しようとする課題】
【０００２】
このシステムは、物質、例えば、栄養補助食品または他の物質を、完全に衛生的かつ安全な状態で、物質の無駄を伴わずに、ネジ付きネックを有する容器内の液体と混合することを可能にする。
【０００３】
本ネジ付きネックを有する任意の容器に適合可能なツイスト・アンド・プッシュ開口システムは、市場に存在する方法からは異なり、ユーザはこれを容易に運搬することができ、ユーザが飲もうとする場合にのみ、ネジ付きネックを有する容器自体の中の液体／物質と混合することで、摂取可能なプロダクトがすべての特性を維持することを可能とする。
【課題を解決するための手段】
【０００４】
ネジ付きネックを有する任意の容器に適合可能なツイスト・アンド・プッシュ開口システムは、内側リング（１）ともう一方の外側リング（５）の二つのリングと、予め穿孔されたフィルム（３）とからなる。
【０００５】
内側リング（１）の厚さは、０．５ｍｍから２ｍｍの間で変化する。内側リング（１）は、厚さ０．５ｍｍから２ｍｍの間で変化する接着領域（２）を有し、予め穿孔されたフィルム（３）は、内側リング（１）のこの領域のみと接着する。
【０００６】
内側リング（１）は、厚さ０．５ｍｍから１ｍｍの間で変化する予め穿孔されたフィルム（３）のカッティング領域（４）も有する。
【０００７】
内側リング（１）は、外側リング（５）よりも０．５ｍｍから１ｍｍ長いため、フィルム（３）はしっかりと引き延ばされ、したがって、二つの機能が実施される。
・第１に、フィルムがポリプロピレンで作られているため、予め穿孔されたフィルム（３）を破る際に役立つ。また、破られれば、使用されている原料のため自然に巻物状に巻かれ、破られると即座にプロダクトは解放される。
・さらに、タブ（６）内のプロダクトが内側リング（１）と外側リング（５）の間に漏れるのを防ぎ、安全レベルが向上する。
【０００８】
外側リング（５）の厚さは、１ｍｍから４ｍｍの間で変化し、予め穿孔されたフィルム（３）が外側リング（５）の周囲全体に接着される。その目的は、内側リング（１）およびタブ（６）を隔離して、外側リングとの接触を防止することである。
【０００９】
ネジ付きネックを有する任意の容器に適合可能なツイスト・アンド・プッシュ開口システムは、飲むことができる物質、例えば、粉ミルク、濃縮ジュース、エネルギー飲料またはアイソトニック飲料、医薬品、および食品サプリメントを入れることができるタブ（６）を備える。
【００１０】
タブの底壁（１１）は、約５度の傾きで傾斜しているので、ネジ付きネックを有する容器の液体と混合された後のプロダクトは、混合によって品質が損なわれることなく容器に注ぐことができる。
【００１１】
ネジ付きネックを有する任意の容器に適合可能なツイスト・アンド・プッシュ開口システムが任意の表面に接触する際に予め穿孔されたフィルム（３）を保護する目的で、タブ（６）の延長部にオーバーラップ（７）を有する。
【００１２】
オーバーラップ（７）は、内側リング（１）より２ｍｍ長く、予め穿孔されたフィルム（３）が外部と接触するのを防ぐ領域を形成する。
【００１３】
タブ（６）の上部は、保護メッシュ（１０）の内張されたノズル（９）を保護する蓋（８）を有するため、予め穿孔されたフィルム（３）が内側リング（１）から離れた場合でも、ユーザが該フィルムを飲みこむことはない。
【図面の簡単な説明】
【００１４】
【図１】図１は、予め穿孔されたフィルム（３）を接着するための領域（２）を有する内側リング（１）、カッティング領域（４）が見て取れ、外側リング（５）、混合するための物質が格納されるとともに底壁（１１）が５度の傾きで傾斜しているタブ（６）、タブ（６）の延長部に、予め穿孔されたフィルム（３）を任意の表面から保護するためのオーバーラップ（７）を有し、タブ（６）の上部には、保護メッシュ（１０）の内張されたノズル（９）を保護するための蓋（８）があるため、予め穿孔されたフィルム（３）が内側リング（１）から離されると、ユーザは飲むことができないことも見て取れる、ネジ付きネックを有する任意の容器に適合するツイスト・アンド・プッシュ開口システムを下方からみた図を図示する。
【図２】図２は、内側リング（１）と、外側リング（５）と、タブ（６）と、タブの底壁（１１）と、オーバーラップ（７）と、蓋（８）と、ノズル（９）と、保護メッシュ（１０）とからなるネジ付きネックを有する任意の容器に適合するツイスト・アンド・プッシュ開口システムの横断図を図示する。
【図３】図３は、予め穿孔されたフィルム（３）を上からみた図が図示される。
【発明を実施するための形態】
【００１５】
ユーザは、選択された容器（ボトル、デミジョン）のネックへネジ付きネックを有する任意の容器に適合するツイスト・アンド・プッシュ開口システムを挿入し、前記ネックが予め穿孔されたフィルム（３）と接触すると、内側リング（１）上のカッティングゾーン（４）によって補助されて、前記ユーザが前記容器のネックをねじることによって切断される。前記予め穿孔されたフィルム（３）が破られると、予めタブ（６）に入れられた物質は、前記ユーザが選択したネジ付きネックを有する前記容器内の液体と混合される。
【００１６】
一度前記物質が溶解すると、前記ユーザは前記液体を蓋（８）の方向へ傾けることで、保護メッシュ（１０）の内張されたノズル（９）を介して、前記ユーザは前記液体を飲むことができる。
【図１】
2019509950.tif 000003
2019509950.tif 000004
【図２】
2019509950.tif 000005
【図３】
2019509950.tif 000006
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
ネジ付きネックを有する任意の容器にも適合可能なツイスト・アンド・プッシュ開口システムであって、
０．５ｍｍから２ｍｍの間で変化する厚みを有する内側リング（１）と、
厚さが１ｍｍから４ｍｍの間で変化する外側リング（５）とを備え、
前記外側リング（５）の接着領域は縁の周囲全体であるとともに、
前記内側リング（１）は予め穿孔されたフィルム（３）が接着される、厚さが０．５ｍｍから２ｍｍの間で変化する接着領域（２）を含み、
前記予め穿孔されたフィルム（３）は、前記２つのリング上に延伸されるとともに、各リングの所定の領域に接着される
ツイスト・アンド・プッシュ開口システム。
【請求項２】
１ｍｍから４ｍｍの間で変化する厚みを有する外側リング（５）を備え、
前記内側リング（１）の前記接着領域（２）へ前記予め穿孔されたフィルム（３）が前記外側リング（５）を超えて延伸されており、
前記接着領域（２）は、前記予め穿孔されたフィルム（３）が破られた後に前記予め穿孔されたフィルム（３）が剥離しないことを保証する安全対策であって、したがって、ユーザは、前記予め穿孔されたフィルム（３）を嚥下する危険性を冒さない、
請求項１に記載のネジ付きネックを有する任意の容器にも適合可能なツイスト・アンド・プッシュ開口システム。
【請求項３】
前記内側リング（１）は、前記外側リング（５）より０．５ｍｍから１ｍｍ長く、
この長さの差は、プロダクトがタブの外部に漏れるのを防止するとともに、前記予め穿孔されたフィルム（３）が前記容器の前記ネジ付きネックと接触する際に破れ易くするために重要である、
請求項１または２に記載のネジ付きネックを有する任意の容器にも適合可能なツイスト・アンド・プッシュ開口システム。
【請求項４】
前記容器の前記ネックから前記予め穿孔されたフィルム（５）への圧力によって前記予め穿孔されたフィルムが破れるとともに、前記容器の前記ネックが前記外側リング（２）と前記内側リング（１）との間で回転し、
このシステムの単純さは、前記予め穿孔されたフィルム（３）が破られた瞬間に前記プロダクトが前記容器に入るため、前記タブ内の前記プロダクトが人の手や環境と接触することはなく、完全な衛生的で清潔な条件を保証する、
請求項１から３のいずれか一項に記載のネジ付きネックを有する任意の容器にも適合可能なツイスト・アンド・プッシュ開口システム。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
ネジ付きネックを有する任意の容器にも適合可能なツイスト・アンド・プッシュ開口システムであって、
０．５ｍｍから２ｍｍの間で変化する厚みを有する内側リング（１）と、
厚さが１ｍｍから４ｍｍの間で変化する外側リング（５）とを備え、
前記外側リング（５）の接着領域は縁の周囲全体であるとともに、
前記内側リング（１）は予め穿孔されたフィルム（３）が接着される、厚さが０．５ｍｍから２ｍｍの間で変化する接着領域（２）を含み、
前記予め穿孔されたフィルム（３）は、前記２つのリング上に延伸されるとともに、各リングの所定の領域に接着される
ツイスト・アンド・プッシュ開口システム。
【請求項２】
１ｍｍから４ｍｍの間で変化する厚みを有する外側リング（５）を備え、
前記内側リング（１）の前記接着領域（２）へ前記予め穿孔されたフィルム（３）が前記外側リング（５）を超えて延伸されている、
請求項１に記載のネジ付きネックを有する任意の容器にも適合可能なツイスト・アンド・プッシュ開口システム。
【請求項３】
前記内側リング（１）は、前記外側リング（５）より０．５ｍｍから１ｍｍ長く、
この長さの差は、プロダクトがタブの外部に漏れるのを防止するとともに、前記予め穿孔されたフィルム（３）が前記容器の前記ネジ付きネックと接触する際に破れ易くするために重要である、
請求項１または２に記載のネジ付きネックを有する任意の容器にも適合可能なツイスト・アンド・プッシュ開口システム。
【請求項４】
前記容器の前記ネックから前記予め穿孔されたフィルム（５）への圧力によって前記予め穿孔されたフィルムが破れるとともに、前記容器の前記ネックが前記外側リング（２）と前記内側リング（１）との間で回転する、
請求項１から３のいずれか一項に記載のネジ付きネックを有する任意の容器にも適合可能なツイスト・アンド・プッシュ開口システム。
【国際調査報告】
2019509950.tif 000007
2019509950.tif 000008